(57)【要約】【課題】本発明の目的は、使用する記録材の表面粗さに応じた定着制御が行えるように、使用する記録材の表面粗さを精度良く検出することが可能な画像形成装置を提供することである。【解決手段】発光手段から原稿に光を照射してその反射光によって原稿の画像を読み取る画像読取手段と、読み取った画像情報に基づいて記録材に画像を形成する画像形成手段と、前記画像読取手段及び前記画像形成手段の動作を制御する制御手段と、を有し、前記発光手段から画像形成前の記録材に光を照射してその反射光によって前記記録材の表面粗さを判断する表面粗さ判断モードを備え、前記制御手段は、前記表面粗さ判断モードの動作をするときは、前記画像読取手段で読み取る濃度レンジを画像情報を読み取るときより明部側へ変更して、前記記録材の表面粗さを判断することを特徴とする。【選択図】    図９
2015192366.tif 000002
【特許請求の範囲】
【請求項１】
発光手段から原稿に光を照射してその反射光によって原稿の画像を読み取る画像読取手段と、
読み取った画像情報に基づいて記録材に画像を形成する画像形成手段と、
前記画像読取手段及び前記画像形成手段の動作を制御する制御手段と、
を有し、
前記発光手段から画像形成前の記録材に光を照射してその反射光によって前記記録材の表面粗さを判断する表面粗さ判断モードを備え、
前記制御手段は、前記表面粗さ判断モードの動作をするときは、前記画像読取手段で読み取る濃度レンジを画像情報を読み取るときより明部側へ変更して、前記記録材の表面粗さを判断することを特徴とする画像形成装置。
【請求項２】
記録材に画像を加熱して定着する定着手段を有し、
前記制御手段は、前記記録材の表面粗さが所定値より大きいと判断したときは、前記定着手段による該記録材の搬送速度を遅くし、または前記定着手段の温調温度を上げることのうち、少なくとも一方を実行することを特徴とする請求項１に記載の画像形成装置。
【請求項３】
前記制御手段は、前記表面粗さ判断モードの動作をするときに、前記画像読取手段による画像読取速度を画像情報を読み取るときよりも遅くすることを特徴とする請求項１又は請求項２に記載の画像形成装置。
【請求項４】
前記制御手段は、前記表面粗さ判断モードの動作をするときに、前記画像読取手段における前記発光手段の光量を画像情報を読み取るときよりも少なくすることを特徴とする請求項１乃至請求項３のいずれか１項に記載の画像形成装置。
【請求項５】
前記画像読取手段は、原稿に対する照射位置を挟んで両側に前記発光手段を有し、
前記制御手段は、前記表面粗さ判断モードの動作をするときに、前記発光手段の一方を点灯させ、他方を消灯させることを特徴とする請求項１乃至請求項４のいずれか１項に記載の画像形成装置。
【発明の詳細な説明】
【技術分野】
【０００１】
本発明は、記録材の表面粗さを計測する機能を備える複写機等の画像形成装置に関するものである。
【背景技術】
【０００２】
従来、複写機に代表される画像形成装置では、画像読取手段により原稿の画像を読み取り、その画像情報に基づいて像担持体に現像剤像を形成し、その現像剤像を転写手段により記録材に転写し、転写した現像剤像を定着手段により記録材に定着している。
【０００３】
かかる画像形成装置においては、例えば画像形成装置本体に設けられた操作パネル等で記録材としての記録紙のサイズや紙種がユーザにより設定され、その設定に応じて最適な画像形成条件の制御がなされる。
【０００４】
しかしながら、ユーザが設定する項目には、ユーザが使用する記録紙の表面粗さは細かく考慮されておらず、記録紙の表面粗さが記録材に現像剤像を定着させる定着手段に影響を与え、画像不良（特に定着不良）が問題となっていた。
【０００５】
そこで、ユーザが使用する記録紙に対して光を照射し、正反射光による明部と拡散反射光による暗部の違いを検知することで、自動で記録紙の表面粗さを判別し、その表面粗さに応じた画像形成条件を制御する構成が提案されている（特許文献１）。
【０００６】
また、ＣＣＤエリアセンサで記録紙の表面画像を捉え、フラクタル次元を求めることにより、記録紙の粗度を求める方法が提案されている（特許文献２）。
【先行技術文献】
【特許文献】
【０００７】
【特許文献１】特開２００９−７５１１９号公報
【特許文献２】特開平１１−２７１０３７号公報
【発明の概要】
【発明が解決しようとする課題】
【０００８】
しかしながら、上記従来の技術では、記録紙の表面粗さを正確に読み取るには不十分であった。すなわち、記録紙表面の画像を画像読取手段により読み取った際に、読取濃度のレンジが何も印刷されていない白紙状態に合せて設定がなされていないため、記録紙の表面粗さによる明暗のコントラストがつきづらく検出精度が不十分であった。このように記録紙の表面粗さの検出精度が不十分であると、記録紙の表面粗さに応じた最適な定着制御が行えないといった問題があった。
【０００９】
そこで、本発明の目的は、使用する記録紙の表面粗さに応じた定着制御が行えるように、使用する記録紙の表面粗さを精度良く検出することが可能な画像形成装置を提供することである。
【課題を解決するための手段】
【００１０】
上記目的を達成するため、本発明は、発光手段から原稿に光を照射してその反射光によって原稿の画像を読み取る画像読取手段と、読み取った画像情報に基づいて記録材に画像を形成する画像形成手段と、前記画像読取手段及び前記画像形成手段の動作を制御する制御手段と、を有し、前記発光手段から画像形成前の記録材に光を照射してその反射光によって前記記録材の表面粗さを判断する表面粗さ判断モードを備え、前記制御手段は、前記表面粗さ判断モードの動作をするときは、前記画像読取手段で読み取る濃度レンジを画像情報を読み取るときより明部側へ変更して、前記記録材の表面粗さを判断することを特徴とする。
【発明の効果】
【００１１】
本発明によれば、表面粗さ計測モードの動作をするときは、画像読取手段で読み取る濃度レンジを画像情報を読み取るときより明部側へ変更するため、使用する記録材の表面粗さを精度良く検出することができる。これにより、記録材の表面粗さに応じた動作制御をすることで定着不良等の画像不良を防止することができる。
【図面の簡単な説明】
【００１２】
【図１】画像形成装置の概略構成を示す模式断面図
【図２】画像形成装置における画像読取装置の拡大斜視図
【図３】画像読取装置におけるイメージセンサユニットを走行体に支持する機構の分解斜視図
【図４】図３に示すイメージセンサユニットの部分拡大図
【図５】実施例１の定着装置の詳細図
【図６】実施例１に係るイメージセンサユニットの構成図
【図７】記録紙の表面粗さと輝度の関係を示す図
【図８】（ａ）（ｂ）は記録紙の表面粗さと反射光量の関係を示す図
【図９】記録紙の表面粗さを判断する動作の流れを示す実施例１におけるフローチャート
【図１０】制御系のブロック図
【図１１】（ａ）（ｂ）は通常のコピー動作時と表面粗さ判断モード時の輝度−濃度変換テーブルを示す図
【図１２】記録紙の表面粗さにより定着不良が起こるメカニズムを示す部分断面図
【図１３】比較例と本実施例とを比較した記録紙の表面粗さと定着性の関係を示す図
【図１４】実施例２に係るイメージセンサユニットの構成図
【図１５】記録紙の表面粗さを判断する動作の流れを示す実施例２におけるフローチャート
【発明を実施するための形態】
【００１３】
以下、図面を参照して、本発明の好適な実施の形態を例示的に詳しく説明する。ただし、以下の実施の形態に記載されている構成部品の寸法、材質、形状、それらの相対配置などは、本発明が適用される装置の構成や各種条件により適宜変更されるべきものである。従って、特に特定的な記載がない限りは、本発明の範囲をそれらのみに限定する趣旨のものではない。
【００１４】
〔実施例１〕
図１に実施例１に係る画像形成装置の概略構成を示す。図１に示すように、本実施例に係る画像形成装置は、原稿の画像を読み取るスキャナ部である画像読取装置１００と、普通紙等の記録材に現像剤による画像を形成するプリンタ部である装置本体２００とを備えている。
【００１５】
図２は、本実施例における画像読取装置１００の概略斜視図である。図２に示すように、画像読取装置１００は、画像読取手段としてのイメージセンサユニット１０１によって原稿の画像を読み取るようになっている。画像読取装置１００は、読み取った情報をプリンタ部である装置本体２００に送る他に、パソコン、ファクシミリ等の外部機器にも送信できるようになっている。
【００１６】
画像読取装置１００は、密着型イメージセンサユニット１０１、イメージセンサユニット１０１を支持する走行体１０２、走行体１０２を案内するガイドシャフト１０３、駆動モータ１０４、同軸プーリ１０５、プーリ１０６、駆動モータ１０４の回転軸（不図示）と同軸プーリ１０５とに掛け渡したタイミングベルト１０７、同軸プーリ１０５とプーリ１０６とに掛け渡したタイミングベルト１０８、画像読取装置１００の装置本体１５４に設けられて、走行体１０２がホームポジションに居るか否かを検知するホームポジションセンサ１０９、コンタクトガラス１１０、装置本体１５４のコンタクトガラス左に位置するカバー１２０、コンタクトガラス１１０とカバー１２０とを装置本体１５４に支持する介在部材である例えばステー１３０等を備えている。
【００１７】
ガイドシャフト１０３は、イメージセンサユニット１０１の長手方向に対して直交する方向に伸びるように配置されており、イメージセンサユニット１０１を装着した走行体１０２を往復移動案内できるように装置本体１５４に設置されている。タイミングベルト１０８は、ガイドシャフト１０３に略平行に架設されており、このタイミングベルト１０８の一部が走行体１０２に係合している。駆動モータ１０４の回転は、タイミングベルト１０７、同軸プーリ１０５を介してタイミングベルト１０８に伝達されるようになっている。
【００１８】
したがって、駆動モータ１０４によって、タイミングベルト１０８が循環すると、タイミングベルト１０８に連動して走行体１０２がガイドシャフト１０３に沿って移動し、イメージセンサユニット１０１がコンタクトガラス１１０，１２０の下側において移動する。イメージセンサユニット１０１の移動方向は、駆動モータ１０４の正逆回転により変えることができる。
【００１９】
図３は、イメージセンサユニット１０１を走行体１０２に支持する機構の分解斜視図である。図４は図３の部分拡大図である。図３及び図４に示すように、スペーサ１１１は、イメージセンサユニット１０１の長手方向両端部の上部に設けられている。延出部１１２はイメージセンサユニット１０１の長手方向両端部から長手方向に沿って延出しており、長孔１１３が形成されている。長孔１１３は、イメージセンサユニット１０１の長手方向に沿った長い孔である。付勢手段である例えば圧縮コイルばね１１５は、走行体１０２に設けられた軸突起１１６に嵌挿されている。
【００２０】
軸突起１１６に、圧縮コイルばね１１５と、長孔１１３とを嵌挿させることで、イメージセンサユニット１０１が走行体１０２に装着される。さらに、走行体１０２を装置本体１５４に装着すると、イメージセンサユニット１０１が圧縮コイルばね１１５に押されて、スペーサ１１１がコンタクトガラス１１０の下面に当接する。スペーサ１１１は、接触部１１９で、コンタクトガラス１１０の下面に当接する。接触部１１９は、スペーサ１１１の上部に突設されている。接触部１１９は、スペーサ移動方向の中間部分に、スペーサ１１１の移動方向に沿った長さを有している。
【００２１】
スペーサ１１１がコンタクトガラス１１０に接触することによって、イメージセンサユニット１０１とコンタクトガラス１１０との間には一定の隙間（不図示）が形成される。この隙間は、イメージセンサユニット１０１を有するスペーサ１１１を圧縮コイルばね１１５によってコンタクトガラス１１０に押し付けて、コンタクトガラス１１０が多少捻じれてもイメージセンサユニット１０１とコンタクトガラス１１０との距離を一定に保つために形成されている。この隙間によって、イメージセンサユニット１０１の焦点距離に合わせて、イメージセンサユニット１０１をコンタクトガラス１１０に対する距離を一定に保つことができて、読取精度の低下を防止することができる。
【００２２】
走行体１０２は、ガイドシャフト１０３に沿って読取方向に移動すると、スペーサ１１１がコンタクトガラス１１０の下面を摺動して、イメージセンサユニット１０１とともに同じ方向へ移動するようになっている。
【００２３】
以上の構成の画像読取装置１００は、イメージセンサユニット１０１をコンタクトガラス１１０の下を移動させて、ユーザによってコンタクトガラス１１０の上面に置かれた原稿を読み取ることができるようになっている。
【００２４】
図１において、画像形成装置における装置本体２００は、電子写真プロセスによって記録材としての記録紙に所定の現像剤による画像（トナー像）を転写し、定着させるものである。
【００２５】
画像形成動作が始まると、画像形成手段を構成する像担持体としての感光ドラム２６が回転し、感光ドラム２６の表面に接触して設けられる帯電ローラ２２が、感光ドラム２６の表面を一様に帯電する。
【００２６】
本実施例における感光ドラム２６は、ＯＰＣ、アモルファスＳｅ、アモルファスＳｉ等の感光材料をアルミニウム、またはニッケル等のシリンダ状の基盤上に設けることで形成される。
【００２７】
一様に帯電した感光ドラム２６の表面に対して、レーザスキャナ（露光手段）２１が画像情報に基づいてＯＮ／ＯＦＦ制御されたレーザー光（画像光）を射出し、感光ドラム２６の表面に静電潜像を形成する。その後、現像装置（現像手段）２３が、感光ドラム２６表面との電位差を利用して静電潜像に現像剤としてのトナーを供給し、感光ドラム２６の表面上で静電潜像をトナー像として現像する。
【００２８】
本実施例における現像方法としては、ジャンピング現像法、２成分現像法、ＦＥＥＤ現像法、のいずれの現像法を用いることが可能である。また、イメージ露光と反転現像とを組み合わせて用いられることも多い。
【００２９】
感光ドラム２６の表面において現像されたトナー像は、感光ドラム２６と転写手段としての転写ローラ２４のニップ部２０において、記録紙に転写される。この際、記録紙に転写されずに感光ドラム２６の表面に残留した残留トナーは、クリーニング装置２５において除去される。
【００３０】
記録紙は、給送カセット６５Ａ〜６５Ｄに積載収納されており、搬送手段を構成する以下の各ローラによって給送から排出に至るまで搬送される。給送カセット６５Ａ〜６５Ｄに収納された記録紙は、給送ローラ６０Ａ〜６０Ｄによって選択的に一枚ずつ給送される。給送された記録紙は、搬送ローラ６３Ａ〜６３Ｄによって搬送路６７に沿って搬送され、レジストローラ６８によって所定のタイミングで前記ニップ部２０に送り込まれる。なお、記録紙を前記ニップ部２０に搬送する際のタイミングは、不図示のトップセンサによって記録紙の先端を検知することで、トナー像を記録紙上の所望の位置に転写可能なタイミングに制御される。
【００３１】
感光ドラム２６と転写ローラ２４のニップ部２０でトナー像が転写された記録紙は、定着装置（定着手段）５０に搬送され、定着装置５０にてトナー像が記録紙に定着される。トナー像が定着された記録紙は、定着装置５０から排出され、不図示の排出センサを経由して排出ローラ６９によって装置本体外部に排出される。なお、本実施例における排出センサは、記録紙がトップセンサと排出センサの間で紙詰まりなどを起こした場合にそれを検知するためのセンサである。
【００３２】
なお、図５に定着装置の詳細図を示す。図５に示すように、定着装置５０は、加熱部材としての定着フィルム５１と、加圧部材としての加圧ローラ５２を備えており、記録紙に転写された画像を加熱して定着する。定着フィルム５１は、ポリイミドなどからなる基層５１１、導電性を有する接着層５１２、ＰＦＡあるいはＰＴＦＥからなる表層５１３で構成される。また加圧ローラ５２は、シリコンゴム等の弾性層に表層としてＰＦＡあるいはＰＴＦＥなどが設けられている。定着フィルム５１と加圧ローラ５２は不図示の加圧機構により圧接されている。また、接着層５１２には定着尾引きの発生を防止するフィルムバイアスがスイッチング素子７７を介して定着高圧電源（ＨＶ）７６から出力される。スイッチング素子７７は、ＣＰＵ（コントローラ部）７１からの信号によりオン・オフを制御されている。
【００３３】
ヒータ支持部材５３は、ヒータ５４の保持および定着フィルム５１のガイド部材としての役割を果たす耐熱性及び剛性を有する部材である。
【００３４】
図６は本実施例に係るイメージセンサユニット１０１の拡大図である。図６に示すように、イメージセンサユニット１０１は、画像素子１２、セルフォック（登録商標）レンズ１３、光源（発光手段）１４を備えている。イメージセンサユニット１０１は、ユーザによってコンタクトガラス１１０に載置された原稿を光走査して、原稿のアナログ画像情報を得るものである。すなわち、イメージセンサユニット１０１は、ガイドシャフト１０３に沿って移動しつつ、光源１４からコンタクトガラス１１０上の原稿に向けて光を照射して、原稿からの反射光をセルフォックレンズ１３を通して画像素子１２で読み取り、原稿の画像情報を得る。この原稿の画像情報（アナログの画像データ）は制御手段としてのコントローラ部７１（図１０参照）の画像処理部に送られ、デジタルの画像データに変換される。その後、変換された画像データは、プリンタ部である装置本体２００での画像形成処理のために、レーザスキャナ２１（図１参照）に出力される。
【００３５】
なお、図２〜図４および図６はＣＩＳ方式の読取光学系を表しており、１次元のラインを走査しながら連続的に読取るラインセンサである。しかし、本実施例においてはＣＩＳ方式の読取光学系を採用する画像読取装置に限定した発明ではない。
【００３６】
また、記録紙の表面粗さと輝度の関係を、図７及び図８に示す。記録紙の表面粗さが小さい、つまり記録紙の表面が滑らかな場合は、図８（ｂ）に示すように、イメージセンサユニット１０１の光源１４から照射された光は、散乱せずに画像素子１２に届き、高輝度の信号がコントローラ部へ送られる。しかし、記録紙の表面粗さが大きくなる、つまり記録紙の表面が粗くなるにしたがって、図８（ａ）に示すように、イメージセンサユニット１０１の光源１４から照射された光は、記録紙の表面で散乱し、画像素子１２に届く光量は小さくなり、低輝度の信号がコントローラ部へ送られることになる。その結果、図７のグラフに示すように、記録紙の表面粗さが小さいほど高輝度になり、記録紙の表面粗さが大きいほど低輝度のデータとして画像処理が行われる。
【００３７】
図９は記録紙の表面粗さを判断する動作の流れを示す本実施例におけるフローチャートである。本実施例に係る画像形成装置は、光源１４から画像形成前の記録紙に光を照射してその反射光によって記録紙の表面粗さを判断する表面粗さ判断モードを備えている。
【００３８】
図９において、最初に、ユーザが操作パネル４０により表面粗さ判断モードをオンにする（Ｓ１）。ここで、表面粗さ判断モードがオフの場合は、原稿を画像読取装置１００にセットし（Ｓ１３）、操作パネル４０で印刷モードや印刷枚数を入力しスタートボタン４１を押すことで通常のコピー動作が開始し（Ｓ１４）、記録紙に原稿の画像が形成される。
【００３９】
ユーザが表面粗さ判断モードをオンにした場合、次にユーザが自身で使用する記録紙を１枚抜き取り、その記録紙を画像読取装置１００のコンタクトガラス１１０上にセットする（Ｓ２）。その後、スタートボタン４１を押すことで（Ｓ３）、ユーザが使用する記録紙の表面粗さを判断する動作が開始される。
【００４０】
表面粗さ判断モードでスタートボタン４１が押されると、イメージセンサユニット１０１の光源１４からコンタクトガラス１５を通して記録紙の表面に光が照射される。記録紙の表面で反射された光がセルフォックレンズ１３を通して画像素子１２に運ばれ、画像素子１２から反射光の輝度に応じた信号が、図１０のブロック図に示すコントローラ部７１の画像処理部へ送られる。
【００４１】
同様の動作をイメージセンサユニット１０１が走査しながら、連続的に記録紙の表面粗さ情報を画像処理部へ読み込んでいく。
【００４２】
本実施例の表面粗さ判断モードにより照射される光源１４の光量は、画像形成動作時（以下、通常のコピー動作時という）が１００％として、２０％減の８０％とする。表面粗さ判断時に光源１４の光量を減少させることで、白色度が高い記録紙に対して反射光が強くなることによる白飛びを防止し、表面粗さをより正確に判断することができる（Ｓ４）。
【００４３】
また、記録紙の表面粗さを判断する際の走査方向の読み取り精度はイメージセンサユニット１０１の画像読取速度（以下、走査スピードという）に比例している。イメージセンサユニット１０１の走査スピードが遅いほど精度が高くなり、早いほど精度は低くなる。
【００４４】
そのため本実施例では、通常のコピー動作時におけるイメージセンサユニット１０１の走査スピードに対して、表面粗さ判断モードの動作をする際のイメージセンサユニット１０１の走査スピードを５０％減にする。具体的には、通常のコピー動作時におけるイメージセンサユニット１０１の走査スピード１０．０ｍｓｅｃ／ｌｉｎｅ（２４００ｄｐｉ）に対して、表面粗さ判断モードの動作をする際のイメージセンサユニット１０１の走査スピードを２０．０ｍｓｅｃ／ｌｉｎｅ（４８００ｄｐｉ）にする。このように、表面粗さ判断モードの動作をするときは、イメージセンサユニット１０１による走査スピードを画像形成動作時よりも遅くすることで読取解像度を上げ、記録紙の表面粗さの検出精度を高める（Ｓ５）。
【００４５】
画像処理部では画像素子１２から送られた輝度のアナログ信号を８ｂｉｔ（＝２５６）階調にＡ／Ｄ変換する。さらに、輝度のデジタル信号は輝度−濃度変換テーブルを用いて濃度に変換される。その際に、図１１に示すように通常のコピー動作で用いる輝度−濃度変換テーブル（図１１（ａ））とは別に、表面粗さ判断モードが開始されたときのみに用いられる輝度−濃度変換テーブル（図１１（ｂ））が適用される（Ｓ６）。
【００４６】
表面粗さ判断モードの動作をしないときは、図１０に示すように、画像処理部に送られた原稿の画像情報などの画像形成命令の信号が、エンジン制御部７５に送られ、通常のコピー動作が開始される。なお、エンジン制御部７５は、定着装置５０の温度や搬送速度を制御する定着制御部７３を備えており、定着装置５０はエンジン制御部７５を通してコントローラ部７１により動作が制御される。
【００４７】
通常のコピー動作時における輝度−濃度変換テーブルは、図１１（ａ）に示すように、輝度データを濃度へ変換する濃度範囲が０．０７〜１．６までの範囲となっており、この範囲を８ビットデータとして濃度階調を表現する。これに対し、表面粗さ判断モードにおける輝度−濃度変換テーブルは、図１１（ｂ）に示すように、本実施例では輝度を濃度へ変換する際の濃度範囲を０．０３〜０．３の範囲に限定し、この範囲を８ビットデータとして濃度階調を表す。すなわち、表面粗さ判断モードの動作をするときは、コントローラ部７１が、イメージセンサユニット１０１で読み取る濃度レンジを通常のコピー動作時などの画像情報を読み取るときより暗部を明部側へ、明部はより明部側へ変更して、記録材の表面粗さを判断する（Ｓ７）。これにより、より輝度が高い（明るい）部分の諧調性を細かく読み取ることができ、光源からの照射光に対しての記録紙の表面の明暗、つまり記録紙の表面粗さの情報をより精度良く検出することができる。
【００４８】
図７は記録紙の表面粗さと輝度の関係である。表面粗さＲｚが小さいほど影はできにくく輝度は高くなり、表面粗さＲｚが大きいほど影ができやすく輝度が小さくなっている。
【００４９】
判断された記録紙の表面粗さに基づく輝度情報は、紙サイズに応じたピクセルデータとしてコントローラ部７１（図１０参照）の画像処理部へ送られる。輝度値である各ピクセルデータは８ｂｉｔデータ０〜２５５の範囲で、表面粗さが大きい場合は輝度値が小さくなり、表面粗さが小さい場合は輝度値が大きくなる。また、紙自身が持つ色みによっても、輝度値は変わる。
【００５０】
そこで、全ピクセルデータの中の輝度値の最大値Ｋｍａｘと最小値Ｋｍｉｎの差をΔＫとし（Ｓ８）、ΔＫ＜１５である場合（Ｓ９）、記録紙の表面粗さは小さく（表面粗さ換算Ｒａ＜１．０ｕｍ）、平滑度が高いと判断し、通常のコピーモード設定で記録紙を印刷する（Ｓ１３，Ｓ１４）。
【００５１】
一方、１５≦ΔＫ＜２０である場合（Ｓ１０）、記録紙の表面粗さは中程度（１．０ｕｍ≦Ｒａ＜３．０ｕｍ）だと判断し、定着装置５０による記録紙の搬送速度を通常のコピー動作時２５０ｍｍ／ｓから１０％減らし２２５ｍｍ／ｓとする（Ｓ１２）。このように、表面粗さ判断モード時は、通常のコピー動作時に比べて記録紙の搬送速度を遅くすることで、図１２に示すように、記録紙の表面が（Ｒａ≧０．５ｕｍ）、トナーに熱が伝わりづらい記録紙の場合でも、通常より熱をかける時間が長くなるため、定着性を１０％改善することができる。
【００５２】
また、２０≦ΔＫである場合（Ｓ１０）は、記録紙の表面粗さが高い紙（Ｒａ≧３．０ｕｍ）と判断し、定着装置５０による記録紙の搬送速度を通常のコピー動作時２５０ｍｍ／ｓから２０％減らし２００ｍｍ／ｓとし、なおかつ定着装置５０の温度を通常のコピー動作時の温度１８０℃より１０℃アップし１９０℃にする（Ｓ１１）。このように、表面粗さ判断モード時は、通常のコピー動作時に比べて記録紙の搬送速度を遅くし、なおかつ定着装置の温調温度を上げることで、トナーに与える熱量をアップさせ定着性を２０％改善することができる。
【００５３】
なお、前述した設定は本実施例における一例であり、前述した数値に限定されるものではない。
【００５４】
記録紙の表面粗さ判断後は、画像読取装置１００にセットした記録紙をコンタクトガラス１５上から取り、画像形成装置本体２００の給送カセット６５に戻す。そして、原稿を画像読取装置１００のコンタクトガラス１５上にセットし（Ｓ１３）、印刷モードや印刷枚数を操作パネル４０に入力しスタートボタン４１を押すことで、コピー動作が開始される（Ｓ１４）。
【００５５】
図１３は本実施例の効果を表した図である。記録紙の表面粗さによって搬送速度を変えない比較例では、図１３中の点線で示すように、記録紙の表面粗さＲｚが大きくなるに従って、トナー定着性が悪化していく。そして、記録紙の表面粗さＲｚ＝１．５を超えると、定着性の目標値である２０％を超え、オフセットやトナー汚れ等の画像問題が発生する。
【００５６】
これに対して、本実施例では、前述したように、記録紙の表面粗さが所定値（ここではＲｚ＝１．５）より大きいと判断したときは、定着装置５０による記録紙の搬送速度を遅くし、または定着装置の温調温度を上げることのうち、少なくとも一方を実行する。これにより、記録紙の表面粗さが大きい場合でも、定着性の目標値である２０％未満を維持することができる。その結果、ユーザーの細かな設定なしに記録紙の表面粗さ状態に適したトナー定着性を得ることができ、オフセットやトナー汚れ等の画像不良を防止することが可能となる。ここでは、記録紙の表面粗さの所定値として１，５を例示したが、これに限定されるものではない。記録紙の表面粗さの所定値は、画像不良が発生するような定着性の目標値に応じて、それを超えない値に適宜決めればよい。
【００５７】
上述したように、本実施例によれば、表面粗さ判断モードの動作をするときは、イメージセンサユニット１０１で読み取る濃度レンジを通常のコピー動作時などの画像情報を読み取るときより暗部を明部側へ、明部はより明部側へ変更する。そのため、使用する記録紙の表面粗さを精度良く検出することができる。これにより、記録紙の表面粗さに応じた動作制御をすることで定着不良等の画像不良を防止することができる。
【００５８】
〔実施例２〕
図１５は記録紙の表面粗さを判断する動作の流れを示す本実施例におけるフローチャートである。また、図１４は本実施例に係るイメージセンサユニット１０１の拡大図である。
【００５９】
本実施例に係るイメージセンサユニット１０１は、図１４に示すように、記録紙１７に対する照射位置を挟んで両側（反射光１６の光路の両側）に、発光手段としての光源１４，１８を有している。この２つの光源１４，１８を有するイメージセンサユニット１０１の構成を除くその他の構成は、前述した実施例１と同じであるため、同一の機能を有する部材には同一符号を付し、説明を省略する。
【００６０】
本実施例では、表面粗さ判断モードの動作をするときは、コントローラ部７１が、前記光源１４，１８の一方を点灯させ、他方を消灯させる。以下、図１５を用いて表面粗さ判断動作の流れを簡単に説明する。
【００６１】
図１５において、最初に、ユーザが操作パネル４０により表面粗さ判断モードをオンにする（Ｓ１）。ここで、表面粗さ判断モードがオフの場合は、原稿を画像読取装置１００にセットし（Ｓ１３）、操作パネル４０で印刷モードや印刷枚数を入力しスタートボタン４１を押すことで通常のコピー動作が開始し（Ｓ１４）、記録紙に原稿の画像が形成される。
【００６２】
ユーザが表面粗さ判断モードをオンにした場合、次にユーザが自身で使用する記録紙を１枚抜き取り、その記録紙を画像読取装置１００のコンタクトガラス１１０上にセットする（Ｓ２）。その後、スタートボタン４１を押すことで（Ｓ３）、ユーザが使用する記録紙の表面粗さを判断する動作が開始される。
【００６３】
表面粗さ判断モードでスタートボタン４１が押されると、イメージセンサユニット１０１の片側の光源１４からコンタクトガラス１５を通して紙表面に光が照射される。記録紙の表面で正反射された光がセルフォックレンズ１３を通して画像素子１２に運ばれ、画像素子１２から反射光の輝度に応じた信号が、図１０のブロック図に示すコントローラ部７１の画像処理部へ送られる。
【００６４】
同様の動作をイメージセンサユニット１０１が走査しながら、連続的に記録紙の表面粗さ情報を画像処理部へ読み込んでいく。
【００６５】
本実施例においては、図１４に示すように、イメージセンサユニット１０１に画像素子１２を挟んだ走査方向に複数の光源１４，１８が配置されている場合を想定する。
【００６６】
光源が片側にしかない場合、片側の光源から記録紙に向けて照射された光は、コンタクトガラス１１０を通り記録紙１７の表面粗さの程度に応じて正反射される光と散乱される光に分けられる。正反射された光１６はセルフォックレンズ１３を通り、画像素子１２に当たることで、記録紙表面で正反射した部分は高輝度のアナログデータとして画像処理部へ送られる。一方、記録紙表面で光が散乱した部分は影となり、低輝度のアナログデータとして画像処理部へ送られ。表面粗さによるコントラストがつけられる。
【００６７】
しかし、画像素子１２に対して走査方向の両側に光源がある場合、片側の光源の照射光で生まれる表面粗さの影にもう一方の光源から照射された光が当たることで、影が消されてしまう。そのため、記録紙の表面粗さに対しての明暗のコントラストがつきづらくなる。そのため、記録紙の表面粗さの検知精度は著しく低下してしまう。
【００６８】
そこで、本実施例のイメージセンサユニット１０１のように、画像素子１２に対して走査方向両側に光源１４，１８がある場合、前述の問題を解決するために、一方の光源を点灯させ、他方の光源を消灯させる（Ｓ２０，Ｓ２１）。
【００６９】
なお、図１５に示すＳ５以降の動作は、前述した実施例１において図９を用いて説明したＳ５以降の動作と同様であるため、ここでは説明を省略する。
【００７０】
上述したように、本実施例においても、前述した実施例と同様の効果が得られる。さらに加えて、本実施例によれば、記録紙の表面粗さ判断時に、画像素子１２に対して走査方向の両側にある光源のうち、一方の光源を点灯し、他方の光源を消灯することで、両側の光源を点灯することによる記録紙の表面粗さの検知精度の低下を防止することができる。
【００７１】
〔他の実施例〕
前述した実施例１，２では、表面粗さ判断モードの動作をするときは、イメージセンサユニットによる画像読取速度を通常のコピー動作などの画像情報を読み取るときより遅くし、なおかつ、光源の光量を通常のコピー動作などの画像情報を読み取るときよりも少なくする構成を説明したが、これに限定されるものではない。表面粗さ判断モードの動作をするときは、イメージセンサユニットによる画像読取速度を通常のコピー動作などの画像情報を読み取るときより遅くし、または、光源の光量を通常のコピー動作などの画像情報を読み取るときよりも少なくする構成であっても良い。また、表面粗さ判断モード時の、イメージセンサユニットによる画像読取速度と、光源の光量についても、前述した実施例は例示であってこれに限定されるものではなく、必要に応じて適宜設定すれば良い。このように構成しても、前述した実施例と同様の効果が得られる。
【００７２】
また前述した実施例１，２では、画像形成前の記録材の表面粗さが所定値より大きいと判断したときは、定着装置５０による記録紙の搬送速度を遅くし、さらに定着装置５０の温調温度を上げることを組み合わせて実行する構成を例示したが、本発明はこれに限定されるものではない。表面粗さ判断時に、画像形成前の記録材の表面粗さが所定値より大きいと判断したときは、定着装置による記録紙の搬送速度を遅くし、または定着装置の温調温度を上げることのうち、少なくとも一方を実行する構成であれば良い。
【符号の説明】
【００７３】
１２  …画像素子
１３  …セルフォックレンズ
１４，１８ …光源
２１  …レーザユニット
５０  …定着装置
７１  …コントローラ部
７３  …定着制御部
７５  …エンジン制御部
１００ …画像読取装置
１０１ …イメージセンサユニット
１１０ …コンタクトガラス
２００ …装置本体
【図１】
2015192366.tif 000003
【図２】
2015192366.tif 000004
【図３】
2015192366.tif 000005
【図４】
2015192366.tif 000006
【図５】
2015192366.tif 000007
【図６】
2015192366.tif 000008
【図７】
2015192366.tif 000009
【図８】
2015192366.tif 000010
【図９】
2015192366.tif 000011
【図１０】
2015192366.tif 000012
【図１１】
2015192366.tif 000013
【図１２】
2015192366.tif 000014
【図１３】
2015192366.tif 000015
【図１４】
2015192366.tif 000016
【図１５】
2015192366.tif 000017